(57)【特許請求の範囲】
【請求項１】
製紙機に於ける巻き取り紙破損監視システムであって、
・監視対象巻き取り紙（Ｗ）の種々の位置（Ｐ１−Ｐｎ）の画像を取るための多数のカメラ（１）と；
・複数のカメラ位置（Ｐ１−Ｐｎ）からの画像データを格納するためのディジタル画像処理装置（２）と；
・種々のカメラ位置の画像データから、焦点を合わされた画面領域（１２）を選択するための選択装置（８−１３）を含む前記システムであって、
ディジタル画像処理装置（２）が
（ｉ）前記焦点を合わされた画像領域（１２）に関する限り、シーケンシャル画像間の変化を比較することによって画像変化データ、及び
（ｉｉ）画像変化データの正常レベルを表す、前記画像変化データの基準レベル、
を編集することを特徴とし；
システムが更に
・画像変化データを基準レベルと比較し、画像変化データと基準レベルとの差が現在の閾値を超える場合に警報メッセージ（３ａ）を設定する比較器（３）と；
・前記警報メッセージ（３ａ）が少なくとも１つのカメラ位置（Ｐ１−Ｐｎ）の少なくとも１つの画像変化データ比較器（３）から出された際に、破損警報を設定するための警報装置（４）とを含む、前記システム。
【請求項２】
請求項１記載のシステムにおいて、これが更に警報装置（４）の制御の下に、その画像データが破損警報に関連して破損データバンク（６）の中に記憶されるカメラ位置（Ｐ１−Ｐｎ）を選択する、記憶選択装置（５）を含むことを特徴とする、前記システム。
【請求項３】
請求項１または２記載のシステムにおいて、複数のカメラ位置（Ｐ１−Ｐｎ）に対して焦点を合わされた画像領域内の画像変化データの基準レベルからの差が前記閾値を超えるまで、警報装置（４）が警報を発しないように適合されていることを特徴とする、前記システム。
【請求項４】
請求項１乃至３のいずれかに記載のシステムにおいて、基準レベルが：
・正常画像変化レベルを決定するための連続的または周期的な自動画像分析する操作、
・画像変化データを生成する画像領域（１２，１２’）の選択または変更に関連する使用者の選択する操作、
・実際の実時間画像変化データより日時の遡る画像変化データを、基準レベルまたは基準レベルを確立する際の１つのパラメータとして使用する操作、
の内の１つまたはいくつかの操作に基づくことを特徴とする、前記システム。
【請求項５】
請求項１乃至４のいずれかに記載のシステムにおいて、画像変化データに関連する焦点を合わされた画像領域（１２）をフレーム化するための選択機能、すなわち焦点を合わされた画像領域のサイズおよび場所の選択、が使用者のコンピュータ（９）内に含まれるツール（７，８，１０−１３）によって制御可能であり、その制御が前記ディジタル画像処理装置（２）に適用されることを特徴とする、前記システム。
【発明の詳細な説明】
【０００１】
【発明の属する技術分野】
本発明は製紙機に於ける巻き取り紙破損監視システムに係わり；監視対象巻き取り紙の種々の位置を画像化するための多数のカメラと、複数のカメラ位置から格納された画像データのディジタル画像処理装置と、種々のカメラ位置の画像データから焦点を絞られた画面領域を選択するための選定装置とを含む。
【０００２】
【従来の技術】
この型式の監視システムは早くから巻き取り紙破断や破損（ｗｅｂ  ｂｒｅａｋｓ）の事後分析では使用されてきたが、この様なシステムは巻き取り紙破断を検出することの出来る実用的な破損センサとしては採用されていない。製紙機で使用されている伝統的な破損センサはしばしば信頼性が低く、その様な伝統的なセンサは一般的に或る位置、特に機械の巻き取り紙端末では全く使いものにならない。
【０００３】
【発明が解決しようとする課題】
本発明の目的は、上述の型式の監視システムを更に発展させ、伝統的破断（又は破損）センサに代わって巻き取り紙破断（損）監視システムと製紙機の実際の制御の両方で使用できるようにすることである。
【０００４】
【課題を解決するための手段】
この目的は添付の特許請求項１に記載の特徴的な機能に基づいて実現されている。非独立な請求項は本発明の好適な実施例を開示している。
【０００５】
【実施例】
次に本発明を添付図を参照して例として示す実施例に基づいて更に詳細に説明する、添付図は本発明の１つの好適な実施例をブロック図で示している。
【０００６】
ブロック図内の画像源は多数のビデオカメラを含み、これらは連続的に監視対象である巻き取り紙Ｗのビデオ画像を、その種々の画像位置Ｐ１．．．Ｐｎから生成する。これらの位置は巻き取り紙破損の観点から重要な位置の中から選択されている。本発明のシステムは更に大きなシステムに含むことも可能であり、そこではカメラのいくつかは別の監視機能、例えば出願人の係属の特許明細書ＦＩ−９８１７３６およびＦＩ−９９０１２０に記載されている監視機能で動作している。
【０００７】
各々のカメラから受信された画像情報はディジタル信号処理装置２またはＤＳＰ処理装置の中で処理される。信号処理装置は通常のマイクロプロセッサに似ているが、更に例えば浮動小数点技術の使用およびより容易なアドレス指定のためのアドレスフォーマットを含む。更にＤＳＰは、多数のデータ、整数演算を含みデータの送信が統計的に重要な動作であるように機能するように設計されている通常の処理装置とはそのアーキテクチャの上で著しく異なっている。ＤＳＰ処理装置は画像分析の関連するいくつかの異なる同時計算ルーチンを実行することが可能であり、その結果は画像情報内に出現する変化を自動的に認識するように適用できる。
【０００８】
本発明は一つには、使用者が利用できるツールを提供することで貢献し、これによって使用者は各々のカメラの画面領域から、場所およびサイズを選択的に１つの領域またはフレームに焦点を合わせることが出来るようになる。ＤＳＰ処理装置２を参照すると、この焦点を合わされたフレームは参照番号１２（関心対象のＲＯＩ／領域）で示されている。焦点を合わされたフレーム１２のサイズと場所の選択は、使用者のコンピュータ９の中に含まれるツール７，８，１０−１３によって制御される。モニタ１０上で視ることの出来る選択アイコン７は、使用者がマウス１３で指し示すことで、表示される希望するカメラ位置の画像１１を選択するように使用することができる。言葉を変えると、全てのカメラ位置の画像は使用者ので受信されるが、スクリーン１０上に示されるべき指定されたカメラ位置の画像１１を選択するために画像データ選択ユニット８が使用される、ここで焦点を合わされたフレームまたは領域１２’が、使用者の選択に基づいてそのサイズおよび場所に関して定義される。当然その選択は、その中で巻き取り紙破損がかなり明らかに認知できる画像変化を引き起こすと予想される、画像１１の領域上に焦点が合わされる。任意の選択されたカメラ位置の画像１１内の焦点を合わされた領域１２’に対応する境界設定は、コンピュータ９によって対応するカメラ位置のＤＳＰ処理装置２に指定することが出来る。従って、使用者のコンピュータ９で供給される制御はディジタル画像処理装置２の、複数のカメラ１から受信されたビデオ画像に対して適用され、前記装置はファーストイン・ファーストアウト原理で動作し、その中に格納される画像データの暫定期間は数秒から数分の間で可変である。従って各々のカメラ位置から格納された画像データは数ダース（ｄｏｚｅｎ）から数百のシーケンシャル画像１１を含み、それぞれ焦点を合わされたフレームまたは領域１２／１２’がその中に含まれている。
【０００９】
ディジタル画像処理装置２は、焦点を合わされた領域またはフレームに関する限りシーケンシャル画像間の変化を比較することによって画像変化データを編集するように適合されている。更に、ディジタル画像処理装置２は画像変化に対する基準レベルを具備するように適合されており、これは画像変化データの正常レベルを表している。基準レベルは多くの方法で確立することが可能であり、これは例えば１つまたはいくつかの下記の操作に基づいて行える：
・自動画像分析を連続的または周期的に正常画像変化レベルを決定するために実行する
・画像変化データを生成している画像領域１２，１２’を選択または変更しながら、使用者が基準レベルまたはそれに関連するパラメータを選択する、
・実際よりもかなり日時が遡る実時間画像変化データを、基準レベルを確立する際の基準レベルまたは１つのパラメータとして使用する。
【００１０】
各々のＤＳＰ処理装置２から、画像変化データと基準レベルがカメラ毎の比較器３に送られ、これは画像変化データを基準レベルと比較し、基準レベルからの画像変化データの差が現在の閾値を超えた場合に警報メッセージ３ａを生成する。警報限界、すなわち基準レベルからの画像変化データの最大許容差は、従って基本的に経験的知識によって使用者が確立した設定で予め定められている、前記知識は仕事経験に沿って集積される。種々のカメラ位置の最適警報限界は違っていることは、感度と誤警報の間の関係を最適化する観点から明らかである。この最適化に於ける主要因が本発明の解決するところであり、ここでは画像変化データのみが関心対象として焦点が合わされた画面領域１２から編集される。
【００１１】
比較器３から警報メッセージ３ａが警報装置４に送られ、これは１つまたは複数の予め選択されたカメラ位置Ｐ１．．．Ｐｎの画像変化データ比較器３から警報メッセージ３ａが発せられると、実際の破損警報を生成する。選択装置５を用いて、その画像データが破損データバンク６に格納、記憶されるカメラを選択することが可能である。加えて、装置４から受信されたメッセージはどのカメラ位置が警報を出したかの情報を含むはずである。これは格納選択装置５に対して関連するカメラ位置の画像データを破損データバンク６の中に格納、記憶するように指示するように使用できる。
【００１２】
警報が単一カメラの画像位置に基づく場合、適切なヒステリシスを用いて誤警報を除去するように出来る。しかしながら、いくつかのカメラの組み合わせを用いることで破損の絶対的に明らかな前兆が得られるので、破損メッセージは、それが警報装置４からの実際の破損警報となる前に、複数のカメラから受信されなければならない（それぞれ、多数の警報メッセージ３ａを受信する必要がある。
）
【００１３】
従って、本発明の巻き取り紙破損監視システムは、希望するカメラ位置Ｐ１．．．Ｐｎを選択するだけで破損事故の記憶のために使用することができる。
【００１４】
参照番号１５は製紙機制御システムを表し、これにもまた本発明の監視システムから発せられた破損メッセージが供給されている。
【００１５】
図示されたブロック図とは別に、焦点を合わされた画像領域１２を事前にカメラ１内で選択することも可能である。これはカメラ自体に含まれている選択装置で行うことも、または使用者のコンピュータ９の制御の下に行うことの何れでも可能である。
【００１６】
更に、ブロック図とは別にそれが好ましい場合には使用者のコンピュータ９を操作して、使用者の選択によってその画像データが裸警報に関連して破損データバンク６の中に格納されるカメラ１の台数を増減するように、格納選択装置５を駆動することも可能である。更に、使用者コンピュータ９が破損データバンク６と通信してその中に格納されている画像をモニタ１０に表示させて分析することも可能である。
【図面の簡単な説明】
【図１】製紙機の巻き取り紙破損監視システムのブロック図。
【符号の説明】
１  カメラ
２  ディジタル画像処理装置
３  比較器
３ａ  警報メッセージ
４  警報装置
５  選択装置
６  破損データバンク
７  選択アイコン
８  画像データ選択ユニット
９  コンピュータ
１０  モニタ
１１  画像
１２  焦点を合わされたフレーム
１３  マウス
１５  製紙機制御システム
【図１】
0004614492.tif 000002